(57)【要約】【課題】防水性が向上された照明装置を提供する。【解決手段】照明装置１０は、造営材Ｂの壁面Ｗに取付けられる照明装置であって、発光部３０と、壁面Ｗに取付けられた場合に壁面Ｗ側に位置する取付け面１２ｂ、及び、取付け面１２ｂと反対側の面である主面１２ａを有する平板状のベース部１２、並びに、主面１２ａに立設される側壁部１３を有し、発光部３０が設置された器具本体１１とを備え、ベース部１２は、取付け面１２ｂから主面１２ａまで貫通する開口部１２ｃと、壁面Ｗにベース部１２が取付けられた場合に、主面１２ａに立設し、平面視において鉛直方向に対して傾斜した傾斜壁１６ａを開口部１２ｃの鉛直下側に有する水受け部１６と、平面視において傾斜壁１６ａの鉛直上側に、主面１２ａから取付け面１２ｂまで貫通した水抜き孔１７とを有する。【選択図】図７
2018116915.tif 000002
【特許請求の範囲】
【請求項１】
造営材の壁面に取付けられる照明装置であって、
発光部と、
前記壁面に取付けられた場合に前記壁面側に位置する取付け面、及び、前記取付け面と反対側の面である主面を有する平板状のベース部、並びに、前記主面に立設される側壁部を有し、前記発光部が設置された器具本体とを備え、
前記ベース部は、
前記取付け面から前記主面まで貫通する開口部と、
前記壁面に前記ベース部が取付けられた場合に、前記主面に立設し、平面視において鉛直方向に対して傾斜した傾斜壁を前記開口部の鉛直下側に有する水受け部と、
平面視において前記傾斜壁の鉛直上側に、前記主面から前記取付け面まで貫通した水抜き孔とを有する
照明装置。
【請求項２】
前記取付け面には、前記壁面に前記ベース部が取付けられた場合に、前記水抜き孔と連通し、前記水抜き孔の鉛直下側に連続して延在した溝部が設けられている
請求項１に記載の照明装置。
【請求項３】
前記側壁部は、前記壁面に前記ベース部が取付けられた場合に、鉛直下側に位置し、鉛直方向に貫通した貫通孔を有し、
前記溝部は、前記貫通孔と連通するように前記水抜き孔から連続して形成されている
請求項２に記載の照明装置。
【請求項４】
さらに、前記取付け面を覆い、前記開口部と連通する接続孔を有する緩衝部材を備える
請求項１〜３のいずれか１項に記載の照明装置。
【請求項５】
さらに、前記発光部が載置され、前記発光部が発する光を反射し、前記器具本体に着脱可能に取付けられた反射板を備える
請求項１〜４のいずれか１項に記載の照明装置。
【請求項６】
前記発光部は、平面視した場合に、前記反射板の中央部に配置され、
前記反射板は、前記発光部から離れるにつれて開口面積が広がる形状である
請求項５に記載の照明装置。
【請求項７】
さらに、前記反射板に覆われて前記ベース部に載置され、前記発光部に電力を供給する蓄電池を備える
請求項５又は６に記載の照明装置。
【発明の詳細な説明】
【技術分野】
【０００１】
本発明は、照明装置に関する。
【背景技術】
【０００２】
従来、通常時に光源を商用交流電源などの外部電源で点灯させ、停電が発生して商用交流電源から電力が供給されなくなった場合等の非常時にバッテリ（蓄電池）の電源により光源を点灯させるようにした非常灯対応の非常用の照明装置がある。
【０００３】
例えば特許文献１には、光源モジュールと、非常時に光源モジュールを点灯させるための蓄電池と、光源モジュール及び蓄電池を収容する器具本体とを備える照明装置が開示されている。
【先行技術文献】
【特許文献】
【０００４】
【特許文献１】特開２０１６−０９１７４１号公報
【発明の概要】
【発明が解決しようとする課題】
【０００５】
ところで、照明装置は、屋外に取付けられる場合がある。その場合、雨水が直接、又は、照明装置が取付けられる造営材の天井面、壁面等を伝って照明装置内に侵入する虞がある。その場合、照明装置が備える電子部品が故障するといった問題がある。そのため、特に屋外に取付けられる照明装置には、防水性が要求される。
【０００６】
本発明は、防水性が向上された照明装置を提供する。
【課題を解決するための手段】
【０００７】
本発明の一態様に係る照明装置は、造営材の壁面に取付けられる照明装置であって、発光部と、前記壁面に取付けられた場合に前記壁面側に位置する取付け面、及び、前記取付け面と反対側の面である主面を有する平板状のベース部、並びに、前記主面に立設される側壁部を有し、前記発光部が設置された器具本体とを備え、前記ベース部は、前記取付け面から前記主面まで貫通する開口部と、前記壁面に前記ベース部が取付けられた場合に、前記主面に立設し、平面視において鉛直方向に対して傾斜した傾斜壁を前記開口部の鉛直下側に有する水受け部と、平面視において前記傾斜壁の鉛直上側に、前記主面から前記取付け面まで貫通した水抜き孔とを有する。
【発明の効果】
【０００８】
本発明によれば、防水性が向上された照明装置が実現される。
【図面の簡単な説明】
【０００９】
【図１】図１は、実施の形態に係る照明装置の外観斜視図である。
【図２】図２は、実施の形態に係る照明装置の分解斜視図である。
【図３】図３は、反射板に取付けられる構成要素を反射板から取り外した図である。
【図４】図４は、実施の形態に係る照明装置の透光カバーを取り外した場合の平面図である。
【図５】図５は、図４の照明装置から反射板を取り外した場合の平面図である。
【図６】図６は、図４のＶＩ−ＶＩ線に対応した位置で照明装置を切断した場合の断面図である。
【図７】図７は、実施の形態に係る照明装置が備える器具本体を示す外観斜視図である。
【図８】図８は、実施の形態に係る照明装置の取付け面側を示す外観斜視図である。
【図９】図９は、図８に示す破線ＩＸに囲まれた領域を示す、実施の形態に係る照明装置の部分拡大図である。
【図１０】図１０は、実施の形態に係る照明装置の器具本体を壁に取付けた場合を示す器具本体の断面図である。
【発明を実施するための形態】
【００１０】
以下、実施の形態について、図面を参照しながら具体的に説明する。なお、以下で説明する実施の形態は、いずれも包括的又は具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略又は簡略化される場合がある。
【００１２】
以下の実施の形態においては、Ｚ軸方向は、例えば上下方向（鉛直方向）であり、Ｚ正方向側は、上側又は鉛直上側と記載される場合がある。また、Ｚ軸正方向側は、下側と記載される場合がある。また、Ｘ軸方向及びＹ軸方向は、Ｚ軸に垂直な平面（水平面）上において、互いに直交する方向である。
【００１３】
また、本明細書において、「略」又は「約」とは、製造又は配置の際に生じる誤差を含むことを意味する。
【００１４】
（実施の形態）
［照明装置の構成］
実施の形態に係る照明装置の構成について詳細に説明する。
【００１５】
図１は、実施の形態に係る照明装置の外観斜視図である。図２は、実施の形態に係る照明装置の分解斜視図である。図３は、実施の形態に係る照明装置が備える反射板に取付けられる構成要素を反射板から取り外した図である。図４は、実施の形態に係る照明装置の透光カバーを取り外した場合の平面図である。図５は、図４の照明装置から反射板を取り外した場合の平面図である。具体的には、図５は、実施の形態に係る照明装置から透光カバーと、反射板と、反射板に取付けられる構成要素を取り外した図である。図６は、図４のＶＩ−ＶＩ線に対応する位置で照明装置を切断した場合の断面図である。つまり、図６は、透光カバーを取付けた状態の照明装置を、図４に示すＶＩ−ＶＩ線に対応する位置に沿って切断した断面を示す断面図である。
【００１６】
図１〜図６に示されるように、照明装置１０は、器具本体１１と、発光部３０と、反射板４０と、透光カバー５０と、蓄電池６０と、点灯制御装置７０と、端子台８０と、を備える。
【００１７】
照明装置１０は、例えば、マンションの共用部などの半屋外空間で使用される、防災用（非常用）の照明装置である。照明装置１０は、具体的には、シーリングライトとして天井やブラケットライトとして壁面などの施工面に取付けられる。本実施の形態においては、照明装置１０の平面視形状は、円形である。なお、本明細書において、「平面視」とは、器具本体１１に設けられた主面１２ａ、又は、反射板４０に設けられた載置面４１を法線方向から見た場合を示す。
【００１８】
器具本体１１は、壁面などの造営材の施工面に取付けられる部材であり、言い換えれば、取付け台である。器具本体１１は、例えば、アルミダイカスト等によって形成されるが、その他の金属、又は樹脂によって形成されてもよい。器具本体１１は、平面視形状が円形の平板状のベース部１２と、ベース部１２の周縁部に立設した側壁部１３とを含む有底筒状である。
【００１９】
ベース部１２は、器具本体１１を造営材に取付けるための取付け構造（開口部１２ｃ）が設けられている。ベース部１２は、平板状であり、後述する蓄電池６０等の照明装置１０の構成部材が載置される面（主面１２ａ）とは反対側の面（取付け面１２ｂ）側が、造営材の施工面に取付けられる。つまり、ベース部１２には、取付け面１２ｂから主面１２ａまで貫通する開口部１２ｃが設けられる。なお、照明装置１０が造営材に取り付けられた場合に、造営材の施工面と、上述した蓄電池６０等の照明装置１０の構成部材が載置される主面１２ａとは、略平行となる。
【００２０】
また、ベース部１２は、壁面にベース部１２が取付けられた場合に、開口部１２ｃの鉛直下側に、主面１２ａに立設し、平面視において鉛直方向に対して傾斜する傾斜壁１６ａ（図７参照）を有する水受け部１６を有する。
【００２１】
また、ベース部１２には、平面視において、上述した傾斜壁１６ａの鉛直上側に、主面１２ａから取付け面１２ｂまで貫通する水抜き孔１７（図７参照）が設けられる。
【００２２】
なお、ベース部１２の詳細な構造については、後述する。
【００２３】
また、ベース部１２には、２つの取付け部１４が備えられている。なお、以下では、器具本体１１（照明装置１０）は、造営材の壁面に取付けられるものとして説明が行われる。具体的には、本明細書において、壁面は、ＸＺ平面である。
【００２４】
取付け部１４は、主面１２ａに対して平行な方向の反射板４０の動きを規制し、反射板４０が着脱可能に取付けられる部材であり、造営材の施工面に対して垂直な方向に立設された状態でベース部１２に設けられる。つまり、取付け部１４は、反射板４０を器具本体１１に着脱可能に取付けるための部材である。なお、取付け部１４の構造は限定されるものではない。取付け部１４は、例えば、ねじ２６と、ねじ２６を支持し、ベース部１２に立設される支柱部２７とから構成される。
【００２５】
また、図３に示されるように、反射板４０は一対の取付け孔４５を有する。また、器具本体１１には、一対の取付け部１４が設けられる。図５に示されるように、一対の取付け部１４は、ベース部１２の周縁近傍に対向して配置される。
【００２６】
器具本体１１のベース部１２には、蓄電池６０、点灯制御装置７０及び端子台８０が載置される。
【００２７】
蓄電池６０は、発光部３０に電力を供給する電源である。蓄電池６０は、例えば、外部からの交流電力の供給が停止されたときに、非常用の電源として使用される。蓄電池６０は、例えば、ニッケル水素電池である。蓄電池６０は、充電及び放電が可能な電池であればよく、リチウムイオン電池又は鉛蓄電池等であってもよい。蓄電池６０は、蓄電池カバー６１によって覆われる。蓄電池カバー６１は、例えば、アルミダイカストによって形成されるが、樹脂によって形成されてもよい。
【００２８】
点灯制御装置７０は、照明装置１０の外部から供給される交流電力を直流電力に変換して発光部３０に供給する電源回路ユニットである。具体的には、点灯制御装置７０は、基板に回路部品が実装されることにより形成された電源回路と、樹脂製のカバーとを有する。電源回路は、整流回路及びインバータ回路などを含む。点灯制御装置７０は、例えば、ベース部１２の主面１２ａに載置された状態でベース部１２にネジ止めされる。
【００２９】
端子台８０は、外部交流電源と点灯制御装置７０とを電気的に接続させるために電線が差し込まれる１又は複数の端子が配設された端子ユニットである。交流電力は、端子台８０に差し込まれた電線を介して外部交流電源から点灯制御装置７０へ供給される。
【００３０】
また、電源回路には、蓄電池６０を充電する充電回路が含まれる。充電回路は、照明装置１０の外部から供給される交流電力を蓄電池６０の充電に適した直流電力に変換し、直流電力によって蓄電池６０を充電する。本実施の形態においては、停電時などの非常時においても照明装置１０の使用が可能なように、蓄電池６０はトリクル充電される。
【００３１】
また、電源回路には、外部からの交流電力の供給の停止（停電）を検出する検出回路、及び、蓄電池６０を放電する放電回路も含まれる。検出回路によって停電が検出されると、放電回路は、蓄電池６０を放電させる。この結果、蓄電池６０は、発光部３０に直流電力を供給する。これにより、照明装置１０は、停電時も発光を継続することができる。
【００３２】
発光部３０は、照明光を発する照明装置１０の照明用光源として機能する。発光部３０は、具体的には、基板上に実装されたＬＥＤ（Ｌｉｇｈｔ  Ｅｍｉｔｔｉｎｇ  Ｄｉｏｄｅ）チップが、蛍光体を含有する透光性樹脂によって封止されたＣＯＢ（Ｃｈｉｐ  Ｏｎ  Ｂｏａｒｄ）型の発光モジュール３１を備える。発光部３０は、円形の発光領域を有する。本実施の形態においては、発光部３０は、さらに、配光を制御するためのレンズを有し、発光部３０を反射板４０にネジ止めするためのホルダ３２を備える。発光部３０は、例えば、白色光を主とした照明光を光透過部材５１側に向けて発する。つまり、発光部３０は、白色光を透光カバー５０に向けて発する。なお、発光部３０と載置面４１との間には、放熱シート３３などの放熱部材が配置されてもよい。
【００３３】
また、発光部３０は、透光カバー５０が備える光透過部材５１と反射板４０との間に配置される。また、平面視した場合に、発光部３０は、反射板４０の中央部に位置する載置面４１に配置される。発光部３０は、反射板４０の載置面４１に載置され、載置面４１にねじ止めされる。なお、図示されないが、発光部３０は、蓄電池６０及び点灯制御装置７０とリード線などによって電気的に接続される。
【００３４】
ところで、上述したように照明装置が備える光源の交換等のために、壁等の造営材に固定される照明装置の本体と、照明装置が備える照明装置の構成部材とが着脱可能に取付けられる場合がある。実施の形態に係る照明装置１０においては、照明装置１０は蓄電池６０を備える。一般的に、蓄電池が内蔵された例えば防災用（非常用）の照明装置は、定期的に蓄電池の状態を確認する必要がある。この際に、蓄電池が、蓄電池に要求される能力を満たしていないことが確認された場合、蓄電池は交換される必要がある。そのために、照明装置１０においては、器具本体１１に取付けられている蓄電池６０を交換しやすくするために、反射板４０及び透光カバー５０は器具本体１１と着脱可能に取付けられている。
【００３５】
反射板４０は、発光部３０が配置される載置面４１が設けられ、発光部３０が発する光を反射する板体である。また、反射板４０は、発光部３０から発せられる光を、透光カバー５０（具体的には、光透過部材５１）側へ反射する。また、反射板４０は、発光部３０を器具本体１１に着脱可能に取付けるための取付け部材である。具体的には、反射板４０は、主面１２ａに対して平行な方向にスライドされることにより、器具本体１１（具体的には、取付け部１４）に着脱可能に取付けられる。また、反射板４０は、ベース部１２に載置された蓄電池６０、点灯制御装置７０及び端子台８０を覆うように器具本体１１に取付けられる。言い換えると、蓄電池６０、点灯制御装置７０及び端子台８０は、反射板４０に覆われて器具本体１１に載置される。また、反射板４０は、発光部３０の光軸Ｌ方向（図６に示すＹ軸方向）において、器具本体１１（具体的にはベース部１２）と透光カバー５０（具体的には透光カバー５０が備える光透過部材５１）との間に配置される。図６に示されるように、反射板４０とベース部１２との間、及び、反射板４０と光透過部材５１との間のそれぞれには、空隙（空気層）が形成される。つまり、反射板４０は、器具本体１１及び光透過部材５１のいずれの部材とも直接接触しない。このように、発光部３０が反射板４０の載置面４１に載置される構造によれば、発光部３０がベース部１２に載置される構造よりも、発光部３０が発する熱がベース部１２に伝わりにくい効果が得られる。
【００３６】
また、反射板４０は、ベース部１２側に向かうほど縮径する略漏斗状である。言い換えると、反射板４０は、発光部３０から離れるにつれて開口面積が広がる形状である。反射板４０は、例えば、アルミニウムによって形成されるが、その他の金属又は樹脂によって形成されてもよい。
【００３７】
なお、ベース部１２に載置される蓄電池６０、点灯制御装置７０及び端子台８０は、反射板４０が器具本体１１にスライドされて取付けられた際に反射板４０と接触しない位置に載置されるとよい。具体的には、上述したように反射板４０は略漏斗状であるため、載置面４１のＹ軸負方向側ではなく、傾斜部４２又は平坦部４３のＹ軸負方向側に蓄電池６０及び端子台８０が載置されるとよい。こうすることで、反射板４０は、蓄電池６０及び端子台８０に接触することなく、取付け部１４に取付けられる。
【００３８】
図３に示されるように、反射板４０は、載置面４１、傾斜部４２、及び平坦部４３を有する。
【００３９】
載置面４１は、反射板４０の略中心部に位置し、発光部３０が載置される平面である。載置面４１の平面視形状は、特に限定されるものではないが、本実施の形態においては円形である。発光部３０は、載置面４１に載置されることにより、光透過部材５１と反射板４０との間に位置する。
【００４０】
また、反射板４０のうち載置面４１の反対側の面、つまり、載置面４１と背向する面には、ヒートシンクが配置されてもよい。当該ヒートシンクによれば、発光部３０が発光中に発する熱を当該ヒートシンクに逃がすことができる。当該ヒートシンクは、例えば、アルミダイカストによって形成されるが、その他の金属によって形成されてもよい。
【００４１】
また、反射板４０には、発光部３０が発する光を透光カバー５０側に反射させる傾斜部４２が含まれるとよい。傾斜部４２は、載置面４１の周囲を囲むように載置面４１と連続的に形成された部分であり、発光部３０が発する光の一部を光透過部材５１に向けて反射する。傾斜部４２は、径方向において一部が湾曲したテーパ部分である。
【００４２】
また、反射板４０の周縁部は、傾斜部４２に対して傾斜して延在したフランジ状の平坦部４３が設けられる。具体的には、反射板４０の周縁部には、傾斜部４２に対して傾斜し、載置面４１に対して略平行な平坦部４３を有している。言い換えると、反射板４０の周縁近傍には、発光部３０が発する光の光軸Ｌ方向に対して略垂直方向に屈曲して形成された平坦部４３が設けられる。平坦部４３には、取付け孔４５が設けられる。
【００４３】
反射板４０の周縁部には、一対の取付け孔４５が対向して配置される。取付け孔４５は、取付け部１４に対応して位置し、光軸Ｌ方向に貫通して形成された孔である。取付け孔４５が取付け部１４に係合されることで、反射板４０は器具本体１１に取付けられる。なお、反射板４０の平坦部４３に配置される取付け孔４５の数は特に限定されるものではない。器具本体１１に設けられる取付け部１４に対応した数だけ設けられるとよい。
【００４４】
透光カバー５０は、照明装置１０の外郭筐体の一部を構成する、器具本体１１と着脱可能なカバー部材である。透光カバー５０は、光透過部材５１と、枠体５２とを備える。
【００４５】
光透過部材５１は、発光部３０が発する光の出射方向（図６に示す光軸Ｌの矢印の示す方向）に向かって突出した略円形ドーム状の光学部材（グローブ）である。光透過部材５１は、例えば、白色又は乳白色であり、光拡散性（光散乱性）及び透光性を有する。
【００４６】
光透過部材５１は、枠体５２の開口を塞ぐように枠体５２に取付けられる。光透過部材５１は、具体的には、外側に向かって鍔状にせり出した光透過部材５１の縁が、支持枠１００と枠体５２の鍔状にせり出した部分との間に挟み込まれることによって、枠体５２に取付けられる。
【００４７】
光透過部材５１は、例えば、ガラスによって形成されるが、シリコーン樹脂、アクリル樹脂、又は、ポリカーボネート樹脂によって形成されてもよい。また、光透過部材５１は、表面にシルク印刷が行われることによって光拡散性を有してもよい。また、光透過部材５１は、シリカ又は炭酸カルシウムなどの光拡散材（微粒子）を含有することにより光拡散性を有してもよい。また、光透過部材５１の表面（内面又は外面）に光拡散材等を含む乳白色の光拡散膜を形成することで、光透過部材５１は光拡散性を有してもよい。また、光拡散材を用いるのではなくシボ加工処理等によって光透過部材５１の表面に微小凹凸を形成したり、光透過部材５１の表面にドットパターンを印刷したりすることで、光透過部材５１は光拡散性を有してもよい。また、上述した光拡散性を持たせる材料、形状等を組み合わせることで、光透過部材５１は光拡散性を有してもよい。
【００４８】
枠体５２は、発光部３０及び反射板４０などを側方から囲む筒状筐体である。枠体５２は、円筒状である。枠体５２は、器具本体１１及び光透過部材５１とともに、照明装置１０の外郭筐体を構成する。枠体５２は、外郭筐体の側壁部分に相当する。なお、図４に示されるように、枠体５２は、取付け部１４には接触しない。枠体５２と取付け部１４との間には空隙（空気層）が形成される。
【００４９】
枠体５２は、開口に器具本体１１が配置された状態で回動されることにより、器具本体１１に接続される。
【００５０】
枠体５２は、例えば、アルミダイカストによって形成されるが、その他の金属、又は、樹脂によって形成されてもよい。
【００５１】
また、器具本体１１に透光カバー５０が取付けられた場合に、照明装置１０は、発光部３０が発する光の光軸Ｌ方向の長さ（高さ）に対して、光軸Ｌ方向に対して垂直な方向の長さ（幅）の方が大きい扁平形状である。なお、本実施の形態においては、照明装置１０は、平面視において円形であるが、楕円形状又は多角形などでもよく、平面視形状は限定されない。照明装置１０の平面視形状が円形ではない場合は、照明装置１０は、発光部３０が発する光の光軸Ｌに平行な方向の長さに対して、照明装置１０における最も長い垂直な方向の長さの方が大きい扁平形状であればよい。
【００５２】
なお、照明装置１０が防災用の照明装置として採用される場合、照明装置１０の外郭筐体を構成する器具本体１１及び透光カバー５０は、不燃性又は難燃性の材料で形成されるとよい。具体的には、上述したように、器具本体１１及び枠体５２はアルミダイカストによって形成され、光透過部材５１はガラスによって形成されるとよい。こうすることにより、火災が発生した際などに、照明装置１０が延焼によって発火することが抑制される。
【００５３】
また、照明装置１０は、取付けシート（樹脂体）９０をさらに備える。
【００５４】
取付けシート（緩衝部材）９０は、取付け面１２ｂを覆い、開口部１２ｃと連通する接続孔９０ａ（図８参照）を有する平板状の緩衝部材である。具体的には、取付けシート９０は、ベース部１２の取付け面１２ｂ側に配置され、ベース部１２と造営材とを密着させやすくするためのシート部材である。取付けシート９０には、ベース部１２に形成された造営材に取付けるための取付け構造である開口部１２ｃに対応した位置に、開口部１２ｃと連通した接続孔９０ａが形成される。同様に、ベース部１２には、開口部１２ｄと連通した接続孔９０ｂが形成される。取付けシート９０は、例えば、不燃性又は難燃性であり、水が不透過のウレタン等の樹脂材料によって形成される。なお、取付けシート９０には、接続孔９０ａ及び接続孔９０ｂとは別に、所定の形状及び大きさで、取付けシート９０の所定の位置に孔９０ｃが形成されてもいてもよい。孔９０ｃは、照明装置１０を造営材に取付けた際に、取付けシート９０全体に、一様に圧力が加わるようにするために設けられた孔である。
【００５５】
なお、照明装置１０は、パッキン１１０をさらに備えてもよい。
【００５６】
パッキン１１０は、側壁部１３の外周面１３ａと枠体５２の内周面５２ａとの間に位置し、枠体５２と側壁部１３とを密着させやすくするための環状の気密封止部材である。パッキン１１０は、側壁部１３の外周面１３ａに沿って配置される。言い換えると、パッキン１１０は側壁部１３の外周面１３ａに、器具本体１１の周方向に延在して配置される。パッキン１１０は、例えば、ゴム弾性を有する樹脂材料によって形成される。
【００５７】
［器具本体］
次に、実施の形態に係る照明装置１０の器具本体１１の詳細について説明する。
【００５８】
図７は、実施の形態に係る照明装置１０が備える器具本体１１を示す外観斜視図である。具体的には、図７の（ａ）は、実施の形態に係る照明装置１０が備える器具本体１１を上方側から見た場合を示す外観斜視図であり、図７の（ｂ）は、実施の形態に係る照明装置１０が備える器具本体１１を下方側から見た場合を示す外観斜視図である。図８は、実施の形態に係る照明装置１０の取付け面１２ｂ側を示す外観斜視図である。具体的には、図８の（ａ）は、実施の形態に係る照明装置１０の取付け面１２ｂ側を示す外観斜視図であり、図８の（ｂ）は、実施の形態に係る照明装置１０の取付け面１２ｂ側を示す分解斜視図である。図９は、図８に示す破線ＩＸに囲まれた領域を示す、実施の形態に係る照明装置１０の部分拡大図である。図１０は、実施の形態に係る照明装置１０の器具本体１１を壁に取付けた場合を示す器具本体１１の断面図である。なお、図１０は、図４に示すＶＩ−ＶＩ線に対応する位置で切断された器具本体１１の断面図である。
【００５９】
図７に示されるように、器具本体１１のベース部１２は、複数の開口部１２ｃと、複数の水受け部１６と、複数の水抜き孔１７とを有する。言い換えると、ベース部１２には、複数の開口部１２ｃと、複数の水受け部１６と、複数の水抜き孔１７とが設けられている。
【００６０】
開口部１２ｃは、取付け面１２ｂから主面１２ａまで貫通する貫通孔である。開口部１２ｃは、器具本体１１（ベース部１２）を造営材Ｂに取付けるための取付け構造である。なお、平面視における開口部１２ｃの形状は、特に限定されない。また、開口部１２ｃの数も特に限定されるものではなく、ベース部１２に１又は複数設けられる。
【００６１】
水受け部１６は、図１０に示される造営材Ｂの壁面Ｗにベース部１２が取付けられた場合に、開口部１２ｃの鉛直下側に、主面１２ａに立設し、平面視において鉛直方向（Ｚ軸方向）に対して傾斜する傾斜壁１６ａを有する構造である。水受け部１６は、例えば壁面Ｗを伝って開口部１２ｃから侵入する雨水等の水を受け止めるための構造である。なお、水受け部１６の数は特に限定されるものではなく、照明装置１０が壁面Ｗに取付けられた場合に、開口部１２ｃの鉛直下側に位置されているとよい。本実施の形態においては、ベース部１２には、２つの開口部１２ｃに対応して、１つの水受け部１６が設けられている。なお、ベース部１２には、１つの開口部１２ｃに対応して１つの水受け部１６が設けられてもよいし、複数の開口部１２ｃに対して、１つの水受け部１６が設けられてもよい。
【００６２】
水抜き孔１７は、平面視において、傾斜壁１６ａの鉛直上側に、主面１２ａから取付け面１２ｂまで貫通する貫通孔である。水抜き孔１７は、水受け部１６で受け止めた雨水等の水を照明装置１０の外部へ移動させるための構造である。水抜き孔１７は、水受け部１６に対応して、ベース部１２に１又は複数設けられる。
【００６３】
図８の（ｂ）に示されるように、ベース部１２には、複数の溝部１８が設けられる。
【００６４】
溝部１８は、壁面Ｗにベース部１２が取付けられた場合に、取付け面１２ｂ側に設けられる溝である。また、溝部１８は、水抜き孔１７と連通し、水抜き孔１７の鉛直下側に連続して延在する。溝部１８は、開口部１２ｃから侵入し、水受け部１６で受け止めた雨水等の水が、水抜き孔１７から排出される場合に水が通過する水路である。具体的には、溝部１８と、取付け面１２ｂ側に配置される取付けシート９０とで、水受け部１６で受け止めた水が水抜き孔１７から排出される場合に水が通過する水路が形成される。溝部１８は、水抜き孔１７の数に応じて、ベース部１２に１又は複数設けられる。
【００６５】
なお、図７及び図８に示されるように、ベース部１２には、開口部１２ｄの近傍に水受け部１６ｂ及び傾斜壁１６ｄを有する水受け部１６ｂが設けられてもよい。例えば開口部１２ｄの径が大きい場合に、水抜き孔１７を開口部１２ｄの鉛直下方に形成しにくいとき、開口部１２ｄの近傍に水受け部１６ｂ及び傾斜壁１６ｄを有する水受け部１６ｂが設けられてもよい。つまり、開口部１２ｄと水抜き孔１７とは、一体としてベース部１２に設けられてもよいし、別体としてベース部１２に設けられてもよい。開口部１２ｄの取付け面１２ｂ側の鉛直下側には、溝部１８ａが設けられる。
【００６６】
図１０に示されるように、溝部１８ａと、取付け面１２ｂ側に配置される取付けシート９０とで、水受け部１６ｂで受け止めた水が水抜き孔（開口部１２ｄ）から排出される場合に水が通過する水路が形成される。溝部１８ａ及び２つの溝部１８は、ベース部１２の下側で合流部１３０と接続する。
【００６７】
合流部１３０は、２つの溝部１８及び溝部１８ａと連続してベース部１２に形成された溝である。つまり、溝部１８及び／又は溝部１８ａから流れてきた水は、合流部１３０で合流する。合流部１３０は、貫通孔１３ｂと接続する。
【００６８】
貫通孔１３ｂは、壁面Ｗにベース部１２が取付けられた場合に、側壁部１３の鉛直下側に位置し、鉛直方向に貫通する、側壁部１３が有する貫通孔である。
【００６９】
また、貫通孔１３ｂは、溝部１８及び溝部１８ａと連通するように形成される。言い換えると、溝部１８及び溝部１８ａは、貫通孔１３ｂと連通するように水抜き孔１７（及び開口部１２ｄ）から連続して形成される。こうすることで、溝部１８及び／又は溝部１８ａから流れてきた水は、合流部１３０で合流し、貫通孔１３ｂから照明装置１０の外部へ排出される。
【００７０】
［効果等］
以上説明したように、照明装置１０は、造営材Ｂの壁面Ｗに取付けられる照明装置であって、発光部３０と、壁面Ｗに取付けられた場合に壁面Ｗ側に位置する取付け面１２ｂ、及び、取付け面１２ｂと反対側の面である主面１２ａを有する平板状のベース部１２、並びに、主面１２ａに立設される側壁部１３を有し、発光部３０が設置された器具本体１１とを備える。また、ベース部１２は、取付け面１２ｂから主面１２ａまで貫通する開口部１２ｃと、壁面Ｗにベース部１２が取付けられた場合に、主面１２ａに立設し、平面視において鉛直方向に対して傾斜した傾斜壁１６ａを開口部１２ｃの鉛直下側に有する水受け部１６と、平面視において傾斜壁１６ａの鉛直上側に、主面１２ａから取付け面１２ｂまで貫通した水抜き孔１７とを有する。
【００７１】
照明装置１０のベース部１２には、壁面Ｗ等に照明装置１０を取付けるための開口部１２ｃが設けられる。そのために、開口部１２ｃから、壁面Ｗを伝って雨水等の水が照明装置１０の内部に浸入する虞がある。本実施の形態に係る照明装置１０のベース部１２には、開口部１２ｃの鉛直下側に水受け部１６が設けられる。これにより、開口部１２ｃから侵入した水を水受け部１６によって受け止めることができる。また、本実施の形態に係る照明装置１０のベース部１２には、主面１２ａから取付け面１２ｂまで貫通する水抜き孔１７が設けられる。これにより、水受け部１６で受け止めた水を照明装置１０の外部へ排出することができる。そのため、照明装置１０によれば、防水性が向上される。
【００７２】
また、取付け面１２ｂには、壁面Ｗにベース部１２が取付けられた場合に、水抜き孔１７と連通し、水抜き孔１７の鉛直下側に連続して延在した溝部１８が設けられてもよい。
【００７３】
これにより、ベース部１２と造営材Ｂの壁面Ｗ（本実施の形態においては取付けシート９０）との間に、水受け部１６によって受け止められた水が通過するための水路が形成される。そのため、当該水路を通じて、水受け部１６で受け止めた水を照明装置１０の外部へ排出しやすくすることができる。
【００７４】
また、側壁部１３は、壁面Ｗにベース部１２が取付けられた場合に、鉛直下側に位置し、鉛直方向に貫通した貫通孔１３ｂを有してもよい。また、溝部１８は、貫通孔１３ｂと連通するように水抜き孔１７から連続して形成されてもよい。
【００７５】
これにより、溝部１８を流れる雨水等の水は、貫通孔１３ｂから照明装置１０の外部へ排出されることとなる。そのため、照明装置１０によれば、貫通孔１３ｂを形成する位置によって、所望の位置から水を排出することができる。
【００７６】
また、照明装置１０は、さらに、取付け面１２ｂを覆い、開口部１２ｃと連通する接続孔９０ａを有する緩衝部材（取付けシート）９０を備えてもよい。
【００７７】
これにより、ベース部１２は、造営材Ｂの壁面Ｗと密着して取付けられやすくなる。そのため、照明装置１０によれば、照明装置１０を造営材Ｂの壁面Ｗに取付けた場合に、照明装置１０は造営材Ｂから外れにくくなる。
【００７８】
また、照明装置１０は、さらに、発光部３０が載置され、発光部３０が発する光を反射し、器具本体１１に着脱可能に取付けられた反射板４０を備えてもよい。
【００７９】
つまり、照明装置１０の光源である発光部３０は、照明装置１０と着脱可能に取付けられる。そのため、照明装置１０によれば、発光部３０が故障した際に、発光部３０は交換されやすい。
【００８０】
また、発光部３０は、平面視した場合に、反射板４０の中央部に配置されてもよい。また、反射板４０は、発光部３０から離れるにつれて開口面積が広がる形状でもよい。
【００８１】
具体的には、反射板４０は、発光部３０が載置される載置面４１と、載置面４１に対して傾斜して延在する傾斜部４２とを備える。これにより、傾斜部４２で反射される発光部３０から発せられる光は、照明装置１０の外部へより効率よく導かれる。
【００８２】
また、照明装置１０は、さらに、反射板４０に覆われてベース部１２に載置され、発光部３０に電力を供給する蓄電池６０を備えてもよい。
【００８３】
これにより、照明装置１０は、停電などが発生した際においても、蓄電池６０から発光部３０へ電力が供給される。そのため、例えば災害などが発生した場合に外部交流電源から電力が供給されない場合においても、発光部３０は光を発することができる。
【００８４】
（その他の実施の形態）
以上、実施の形態に係る照明装置について説明したが、本発明は、このような実施の形態に限定されるものではない。
【００８５】
上記実施の形態で説明された照明装置の形状は、一例である。例えば、上記実施の形態では、照明装置の平面視形状は、円形であったが、照明装置の平面視形状は、矩形などの多角形であってもよい。
【００８６】
また、上記実施の形態では、発光部として、ＣＯＢ型の発光モジュールが用いられたが、発光部の態様は特に限定されるものではない。例えば、ＳＭＤ型の発光モジュールが発光部として用いられてもよい。また、発光部には、ＬＥＤチップを用いた発光モジュールに代えて、蛍光管、メタルハライドランプ、ナトリウムランプ、ハロゲンランプ、キセノンランプ、又は、ネオン管等が用いられてもよい。また、発光部には、無機エレクトロルミネッセンス、有機エレクトロルミネッセンス、ケミルミネッセンス（化学発光）、又は、半導体レーザー等が用いられてもよい。
【００８７】
以上、一つ又は複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【符号の説明】
【００８８】
１０  照明装置
１１  器具本体
１２  ベース部
１２ａ  主面
１２ｂ  取付け面
１２ｃ、１２ｄ  開口部
１３  側壁部
１３ｂ  貫通孔
１６、１６ｂ  水受け部
１６ａ、１６ｄ  傾斜壁
１７  水抜き孔
１８、１８ａ  溝部
３０  発光部
４０  反射板
６０  蓄電池
９０  取付けシート（緩衝部材）
９０ａ、９０ｂ  接続孔
Ｂ  造営材
Ｗ  壁面
【図１】
2018116915.tif 000003
【図２】
2018116915.tif 000004
【図３】
2018116915.tif 000005
【図４】
2018116915.tif 000006
【図５】
2018116915.tif 000007
【図６】
2018116915.tif 000008
【図７】
2018116915.tif 000009
【図８】
2018116915.tif 000010
【図９】
2018116915.tif 000011
【図１０】
2018116915.tif 000012